(57)【要約】【課題】塵埃除去動作によって発生する音によって室内の快適性が損なわれ難くすることが可能な空気調和機を提供する。【解決手段】空気調和機１では、フィルタ２１と、回転ブラシ７１と、制御部８０（図６参照）と、を備えている。フィルタ２１は、空気の塵埃を捕集する。回転ブラシ７１は、フィルタ２１の清掃を行なう。制御部８０は、通常運転と、フィルタ２１の清掃を行なうフィルタ清掃運転と、を行なう。制御部８０は、通常運転において、所定の条件のときに回転ブラシ７１に付着した塵埃除去動作を行なう。【選択図】図３
2008145078.tif 000002
【特許請求の範囲】
【請求項１】
空気の塵埃を捕集するフィルタ（２１）と、
前記フィルタの清掃を行なうブラシ（７１）と、
空気調和運転と、前記ブラシを使って前記フィルタを清掃するフィルタ清掃運転と、を行なわせる制御部（８０）と、
を備え、
前記制御部は、前記空気調和運転において、所定条件のときに前記ブラシに付着した塵埃を除去する塵埃除去動作を実施する、
空気調和機（１）。
【請求項２】
前記制御部は、前記空気調和運転を止めて前記フィルタ清掃運転を行なう、
請求項１に記載の空気調和機（１）。
【請求項３】
前記フィルタ清掃運転の際に、前記フィルタを上下方向に移動させる移動機構（３０）をさらに備えている、
請求項１または２に記載の空気調和機（１）。
【請求項４】
空気流れを生成するファン（１３）をさらに備え、
前記所定条件には、前記ファンの回転数が所定の回転数以上であるという条件が含まれる、
請求項１から３のいずれか１項に記載の空気調和機（１）。
【請求項５】
前記所定条件には、前記塵埃除去動作を行なった時間が所定の積算時間に到達していないという条件が含まれる、
請求項１から４のいずれか１項に記載の空気調和機（１）。
【発明の詳細な説明】
【技術分野】
【０００１】
本発明は、フィルタ清掃機能を有する空気調和機に関する。
【背景技術】
【０００２】
一般に、空気調和機には、外部から吸い込む空気に含まれる塵埃を除去するフィルタが備えられている。
【０００３】
また、フィルタに塵埃が付着して堆積すると通風抵抗の増大を招くので、フィルタの清掃作業を時々行なう必要がある。
【０００４】
そのため、このような空気調和機の中には、特許文献１に示すように、清掃ブラシを有するものもある。
【特許文献１】特開２００６−１９４５６２号公報（平成１８年７月２７日公開）
【発明の開示】
【発明が解決しようとする課題】
【０００５】
現在、このような空気調和機において、清掃ブラシに付着した塵埃を自動的に取り除く機能を付与した空気調和機の開発が検討されている。しかし、清掃ブラシに付着した塵埃を取り除く際に発生する音がユーザにとって耳障りとなり、快適性を損なうという問題がある。
【０００６】
本発明の課題は、塵埃除去動作によって発生する音によって室内の快適性が損なわれ難くすることが可能な空気調和機を提供することにある。
【課題を解決するための手段】
【０００７】
第１の発明に係る空気調和機は、フィルタと、ブラシと、制御部と、を備えている。フィルタは、空気の塵埃を捕集する。ブラシは、フィルタの清掃を行なう。制御部は、空気調和運転と、ブラシを使ってフィルタを清掃するフィルタ清掃運転と、を行なわせる。制御部は、空気調和運転において、所定条件のときにブラシに付着した塵埃を除去する塵埃除去動作を実施する。
【０００８】
ここでは、空気調和運転において、所定条件のときにブラシに付着した塵埃を除去する塵埃除去動作を行なう。
【０００９】
これにより、塵埃除去動作によって発生する音を空気調和運転によって発生する音に紛れ込ませることができる。
【００１０】
この結果、塵埃除去動作によって室内の快適性が損なわれ難くなる。
【００１１】
なお、空気調和運転時において、所定条件を満たすとき以外では、塵埃除去動作が行なわれない。
【００１２】
第２の発明に係る空気調和機は、第１の発明に係る空気調和機であって、制御部は、空気調和運転を止めてフィルタ清掃運転を行なう。
【００１３】
このため、空気調和運転とフィルタ清掃運転とを別々に行なう場合にも、塵埃除去動作によって発生する音を空気調和運転によって発生する音に紛れ込ませることができる。
【００１４】
第３の発明に係る空気調和機は、第１または第２の発明に係る空気調和機であって、移動機構をさらに備えている。移動機構は、フィルタ清掃運転の際に、フィルタを上下方向に移動させる。
【００１５】
このため、フィルタを上下方向に移動させつつフィルタの清掃をブラシによって行ないフィルタに付着した塵埃を除去することができる。
【００１６】
第４の発明に係る空気調和機は、第１から第３の発明のいずれか１つに係る空気調和機であって、ファンをさらに備えている。ファンは、空気流れを生成する。所定条件には、ファンの回転数が所定の回転数以上であるという条件が含まれる。
【００１７】
このため、ファンの回転数が所定の回転数以上である場合に、塵埃除去動作を行なうことができる。
【００１８】
第５の発明に係る空気調和機は、第１から第４の発明のいずれか１つに係る空気調和機であって、所定条件には、塵埃除去動作を行なった時間が所定の積算時間に到達していないという条件が含まれる。
【００１９】
ここでは、所定の積算時間に到達していない場合に、塵埃除去動作を行なう。このため、所定の積算時間に到達するまで、空気調和運転時に塵埃除去動作を行なうことができる。なお、上記所定の積算時間は、例えば、フィルタ清掃運転を行なう毎にリセットされる。
【発明の効果】
【００２０】
第１の発明に係る空気調和機によれば、塵埃除去動作によって室内の快適性が損なわれ難くなる。
【００２１】
第２の発明に係る空気調和機によれば、空気調和運転とフィルタ清掃運転とを別々に行なう場合にも、塵埃除去動作によって発生する音を空気調和運転によって発生する音に紛れ込ませることができる。
【００２２】
第３の発明に係る空気調和機によれば、フィルタを上下方向に移動させつつフィルタの清掃をブラシによって行ないフィルタに付着した塵埃を除去することができる。
【００２３】
第４の発明に係る空気調和機によれば、ファンの回転数が所定の回転数以上である場合に、塵埃除去動作を行なうことができる。
【００２４】
第５の発明に係る空気調和機によれば、所定の積算時間に到達するまで、空気調和運転時に塵埃除去動作を行なうことができる。
【発明を実施するための最良の形態】
【００２５】
本発明の一実施形態に係る空気調和機１について、図１〜図７を用いて説明すれば以下の通りである。
【００２６】
＜空気調和機の概略構成＞
空気調和機１は、室内に設置される室内機２と、室外に設置される室外機３とに分かれて構成されており、室内の冷房、暖房等を行うことができる。
【００２７】
また、室外機３は、室外空調ユニット５と、室外空調ユニット５上に載置される調湿ユニット４とを有している。後述するように、調湿ユニット４は、室外の空気を室内へ供給したり、室内の空気を室外へ排出したりすることができ、室外機３と室内機２との間には、調湿ユニット４からの室外空気や調湿空気等を室内機２側に供給するときや室内の空気を室外に排出するときに用いられる給排気ホース６が設けられている。
【００２８】
＜室内機２＞
室内機２は、室内の壁面に取り付けられる壁掛け型の室内機であり、図２に示すように、本体ユニット１０と、フィルタユニット２０と、前面グリル５０と、前面パネル６０と、ダストボックス７０と、を有している。そして、室内機２は、空気を吸い込んで空気調和した後に室内へと空気を吹き出す。
【００２９】
〈本体ユニット１０〉
本体ユニット１０は、図３に示すように、底フレーム１１、室内熱交換器１２、送風装置１６（図６参照）、電装品ユニット１４（図２参照）等を有する。
【００３０】
底フレーム１１には、室内熱交換器１２、送風装置１６、電装品ユニット１４等が取り付けられている。また、底フレーム１１の前面下部には、吹出し口１５が設けられており、吹出し口１５から吹き出される空気を案内する水平フラップが設けられている。水平フラップは、フラップモータによって回転駆動され、空気の案内方向を変更したり、吹出し口１５を開閉したりすることができる。
【００３１】
室内熱交換器１２は、複数のフィンと、冷媒が流れる伝熱管とによって構成されており、通過する空気との間で熱交換を行う。
【００３２】
送風装置１６は、例えば、室内から取り込まれ室内熱交換器１２によって温度調整された後に室内へと吹き出す空気流れを生成する。送風装置１６は、送風ファン１３と、室内ファンモータとを有する。送風ファン１３は、クロスフローファンであり、室内ファンモータによって回転駆動される。
【００３３】
なお、送風装置１６、室内熱交換器１２は、室内の空気を取り込み温度調整したうえで室内へ吹き出させる温度調整部２２（図６参照）を構成している。
【００３４】
〈フィルタユニット２０〉
フィルタユニット２０は、図３に示すように、フィルタ２１を備えており、底フレーム１１に取り付けられている。また、フィルタ２１の両側端には、図３および図４に示すように、略水平方向に延びる溝２１ａが上下方向に沿って等間隔に形成されている。また、溝２１ａは、後段にて詳述するプーリ３１の外周に沿って歯車状に形成された突起部３１ａと対応するように形成されている。
【００３５】
フィルタ２１は、室内熱交換器１２の前方および上方（すなわち、空気流れの上流側）に左右方向に2つ並べて配置されている。そして、フィルタ２１は、室内または室外から取り込まれた空気から塵埃を除去する。これにより、フィルタ２１は、空気中に浮遊する塵埃によって室内熱交換器１２が汚染されることを防止する。
【００３６】
また、フィルタユニット２０は、フィルタ２１に付着した塵埃を除去する清掃を行うため、フィルタ２１を下方に移動させる巻き取り機構（移動機構）３０と巻き取りモータ２６（図６参照）とを備えている。なお、フィルタ２１は、巻き取り機構３０によって巻き取られていない状態においては、室内熱交換器１２の空気流れの上流側のほぼ全域を覆うように所定の位置Ｐ１に配置されている（図２参照）。
【００３７】
巻き取り機構３０は、図３および図４に示すように、上部吸込み口７５（後段にて詳述）および前部吸い込み口７６（後段にて詳述）の空気流れの直下流側に配置されており、プーリ３１と、ガイド部材４２と、を有している。そして、巻き取り機構３０は、フィルタ２１の清掃を行なう際に、フィルタ２１を上下方向に移動させる。
【００３８】
ガイド部材４２は、図２に示すようにフィルタユニット２０の左右両端部と中央部にそれぞれ配設されており、図４に示すように側面視において弧状に形成された樹脂製部材である。そして、ガイド部材４２には、フィルタ２１が上下方向に移動する際に、フィルタ２１を案内するための溝４２ａ（図３参照）が形成されている。ここで、溝４２ａの形状について、図３を用いてより具体的に説明すると、以下の通りである。
【００３９】
溝４２ａは、図３に示すように、側面視においてガイド部材４２の周縁に沿って形成されており、フィルタ２１を所定の位置Ｐ１から空気流れの下流側に位置する巻き取り位置Ｐ２へと移動させる。また、反対に、巻き取り位置Ｐ２から所定の位置Ｐ１へと移動させる。
【００４０】
プーリ３１は、各ガイド部材４２の下端部分の間にそれぞれ配設されており、ガイド部材４２によって左右両端を回転可能に支持されている。そして、プーリ３１は左右両端の外周部分に歯車状の突起部３１ａが形成されている。また、プーリ３１は、巻き取りモータ２６によって回転駆動されることによって、突起部３１ａが溝２１ａと噛み合って、フィルタ２１を上下方向に移動させる。そして、図３に示すように、フィルタ２１を下方へと移動させてプーリ３１の周囲を回転させて、ガイド部材４２における背面側（すなわち、ガイド部材４２における空気流れの下流側）の巻き取り位置Ｐ２へと移動させることができる。また、反対に、巻き取られたフィルタ２１を巻き取り位置Ｐ２からガイド部材４２における空気流れの上流側（すなわち、上記所定の位置Ｐ１）に移動させることもできる。
【００４１】
〈前面グリル５０および前面パネル６０〉
前面グリル５０は、図２に示すように、フィルタユニット２０を覆うようにフィルタユニット２０に取り付けられており、前面グリル５０の天面には上部吸込み口７５が設けられている。また、前面グリル５０には、その前面を覆う前面パネル６０が取り付けられており、前面パネル６０が移動することによって、前面グリル５０の前面に形成された前部吸い込み口７６を開閉することができる。
【００４２】
また、前面グリル５０には、室内機２の運転状況を表示する表示部７７（図１参照）を露出させる開口部が設けられている。
【００４３】
〈ダストボックス７０〉
ダストボックス７０は、図３に示すように、前面パネル６０の下部において、吹出し口１５よりも正面側に取り付けられており、フィルタ２１の清掃を行う機能を有するものである。このダストボックス７０は、前面パネル６０が閉じた状態で、前面パネル６０とは干渉することなく、外部から着脱可能である。また、ダストボックス７０には、図５に示すように、回転ブラシ７１と、それに対応する掃き落とし部材７２とが、長手方向に沿って２つずつ配設されている。
【００４４】
ここで、回転ブラシ７１はフィルタユニット２０の下側へと移動してくるフィルタ２１に押圧接触する。また、フィルタ２１の清掃時において、回転ブラシ７１はブラシ用モータ７８（図６参照）によって回転駆動される。また、回転ブラシ７１、ブラシ用モータ７８、巻き取り機構３０、および巻き取りモータ２６は、フィルタ２１を所定の位置Ｐ１から巻き取り位置Ｐ２へと移動させる際に、フィルタ２１に付着した塵埃を清掃するフィルタ清掃部７９（図６参照）を構成している。そして、フィルタ清掃部７９は、上記に示すように、回転ブラシ７１をフィルタ２１に押圧接触させるフィルタ清掃運転を実施する。
【００４５】
なお、回転ブラシ７１は正方向へと回転する。この正方向とは、側面視において室内機２の背面側から上方を経て正面側へと回転する方向、すなわち、図３において反時計回りとなる回転方向である。
【００４６】
掃き落とし部材７２は、図５に示すように、櫛歯状に形成されており、回転ブラシ７１が回転する際に毛先部分に接触して、回転ブラシ７１に付着している塵埃を下方のダストボックス７０内へと掃き落とす。
【００４７】
＜制御部８０＞
図６に示す制御部８０は、室内機２の電装品ユニット１４（図２参照）に設けられており、リモコン８１からの指示や、各種のセンサ（図示せず）からの情報に基づいて、温度調整運転、加湿運転、給気換気運転、排気運転等の通常運転（空気調和運転）と、フィルタ清掃運転と、を行なう。また、制御部８０は、通常運転時に、後段にて詳述する塵埃除去動作を行うことができる。なお、本実施形態の空気調和機１では、通常運転にはフィルタ清掃運転は含まれず、通常運転を止めてフィルタ清掃運転は行なわれる。
【００４８】
＜塵埃除去動作の実施判定フローの説明＞
ここで、本実施形態の塵埃除去動作について、図７に示すフローチャートを用いてより具体的に説明する。塵埃除去動作とは、フィルタ清掃運転とは別に、回転ブラシ７１をブラシ用モータ７８によって回転駆動して、フィルタ清掃運転によって回転ブラシ７１に付着した塵埃をダストボックス７０へと掃き落とす動作である。（なお、塵埃除去動作は、フィルタ清掃運転が行なわれる毎に実施の可否が図７に示すフローチャートに従って判断される。）また、塵埃除去動作において回転ブラシ７１は正方向へと回転する。
【００４９】
ステップＳ１では、制御部８０は、通常運転中であるか否かを判断する。通常運転中以外では、塵埃除去動作は行なわれない。
【００５０】
ステップＳ２では、制御部８０は、送風ファン１３の回転数が所定の回転数以上であるか否かを判断する。送風ファン１３の回転数が所定の回転数以上である場合にだけ、塵埃除去動作が行なわれるので、送風ファン１３の回転数が低い場合には、塵埃除去動作は行なわれない。
【００５１】
ステップＳ３では、制御部８０は、塵埃除去動作を開始する。
【００５２】
ステップＳ４では、制御部８０は、塵埃除去動作を実施した時間が所定の積算時間に到達しているか否かを判断する。
【００５３】
ここで、制御部８０は、所定の積算時間に到達している場合には、ステップＳ８へと進み塵埃除去動作を終了し、さらにステップＳ９において積算時間を０に戻して塵埃除去動作を終了する。また、制御部８０は、所定の積算時間に到達していない場合には、ステップＳ５へと進む。
【００５４】
ステップＳ５では、制御部８０は、通常運転中であるか否かを再度判断する。
【００５５】
ステップＳ６では、制御部８０は、ステップＳ２と同様に、送風ファン１３の回転数が所定の回転数以上であるか否かを判断する。
【００５６】
制御部８０は、ステップＳ５、Ｓ６において条件を満たさないと判断した場合にはステップＳ７において塵埃除去動作を終了し、再度ステップＳ１へと戻る。
【００５７】
このように、空気調和機１では、ステップＳ１、Ｓ２、Ｓ４〜Ｓ６に示す各所定の条件を満たす場合にだけ塵埃除去動作を行なうことで、塵埃除去動作によって発生する音によって室内空間の快適性が損なわれないようにしている。このため、例えば、ステップＳ7において塵埃除去動作を実施中に通常運転が終了しても、次回、ステップＳ１、Ｓ２、Ｓ４〜Ｓ６に示す各所定の条件を満たす場合に再度塵埃除去動作が実施されることになる。
【００５８】
また、上記塵埃除去動作には、フィルタ清掃運転時に掃き落とし部材７２によって取りきれなかった塵埃を取り除くことで、フィルタ清掃運転を行なう時間を短縮化するといった効果もある。
【００５９】
＜空気調和機１の特徴＞
（１）
本実施形態の空気調和機１では、図３に示すように、フィルタ２１と、回転ブラシ７１と、制御部８０（図６参照）と、を備えている。フィルタ２１は、空気の塵埃を捕集する。回転ブラシ７１は、フィルタ２１の清掃を行なう。制御部８０は、通常運転と、フィルタ２１の清掃を行なうフィルタ清掃運転と、を行なう。制御部８０は、通常運転において、所定の条件のときに回転ブラシ７１に付着した塵埃除去動作を行なう。
【００６０】
このように、通常運転時に所定の条件を満たす場合にだけ塵埃を除去する塵埃除去動作を行なっているので、塵埃除去動作によって発生する音を通常運転によって発生する音に紛れ込ませることができている。
【００６１】
この結果、塵埃除去動作を実施することによって室内空間の快適性が損なわれることが抑制されている。
【００６２】
（２）
本実施形態の空気調和機１では、図４に示すように、巻き取り機構３０を備えている。巻き取り機構３０は、フィルタ清掃運転の際に、フィルタを上下方向に移動させる。
【００６３】
このため、フィルタ２１を上下方向に移動させつつフィルタ２１の清掃を回転ブラシ７１によって行ない、フィルタ２１に付着した塵埃を効率的に除去することができる。
【００６４】
（３）
本実施形態の空気調和機１は、図３に示すように、空気流れを生成する送風ファン１３を備えている。制御部８０は、送風ファン１３の回転数が所定の回転数以上である場合にだけ塵埃除去動作を行なう。
【００６５】
このように、送風ファン１３の回転によって発生する音が大きくなる所定の回転数以上の場合にだけ塵埃除去動作を実施させることで、塵埃除去動作によって発生する音を通常運転によって発生する音に紛れ込ませることができている。
【００６６】
（４）
本実施形態の空気調和機１では、制御部８０は、所定の積算時間に到達していない場合にだけ塵埃除去動作を実施する。
【００６７】
これにより、無駄に塵埃除去動作を行なうことがなくなっている。
【００６８】
なお、ステップＳ7において塵埃除去動作を実施中に通常運転が終了しても、次回、ステップＳ１、Ｓ２、Ｓ４〜Ｓ６に示す各所定の条件を満たす場合には、再度塵埃除去動作が実施されることになる。
【００６９】
＜他の実施形態＞
以上、本発明の一実施形態について説明したが、本発明は上記実施形態に限定されるものではなく、発明の要旨を逸脱しない範囲で種々の変更が可能である。
【００７０】
（Ａ）
上記実施形態では、図７に示すように、制御部８０は、ステップＳ１、Ｓ２、Ｓ４〜Ｓ６に示す各所定の条件を満たす場合にだけ塵埃除去動作を行なう例を挙げて説明した。しかし、本発明はこれに限定されるものではない。
【００７１】
例えば、室内機２内部を洗浄する運転を行なう場合と、空調を行なう室内空間にカビが発生することを防止する運転を行なう場合とを、塵埃除去動作が行なわれない条件としてさらに加えても良い。ここで、室内機２内部を洗浄する運転とは、室内機２内の湿度を下げて乾燥させることで室内機２内のカビの発生を抑える運転である。また、空調を行なう室内空間にカビが発生することを防止する運転とは、室内空間に対して所定時間の間継続して除湿運転を行なって室内空間の湿度を低下させる運転である。
【００７２】
また、例えば、２４時間換気運転を行なう場合を塵埃除去動作が行なわれない条件としてさらに加えても良い。
【００７３】
さらに、例えば、塵埃除去動作を行なわない条件として、フィルタ２１が上記所定の位置Ｐ１にセットされていない場合を加えても良い。
【００７４】
これらの場合にも、上記実施形態に係る空気調和機１と同様の効果を得ることができる。
【００７５】
（Ｂ）
上記実施形態では、制御部８０は、通常運転と、フィルタ清掃運転と、を別々に行なう例を挙げて説明した。しかし、本発明はこれに限定されるものではない。
【００７６】
例えば、室内熱交換器１２等に塵埃が付着するおそれが少ない場合には、通常運転時にフィルタ清掃運転を行なっても良い。
【００７７】
この場合にも、上記実施形態に係る空気調和機１と同様の効果を得ることができる。
【００７８】
（Ｃ）
上記実施形態では、巻き取り機構３０によって、フィルタ２１を上下方向に移動させる例を挙げて説明した。しかし、本発明はこれに限定されるものではない。
【００７９】
例えば、フィルタ２１を上下方向に移動させる代わりに、回転ブラシ７１を上下方向に移動させる機構を設けても良い。
【００８０】
この場合にも、上記実施形態に係る空気調和機１と同様の効果を得ることができる。
【００８１】
（Ｄ）
上記実施形態では、図７に示すように、ステップＳ２において、制御部８０は、送風ファン１３の回転数が所定の回転数以上であることが塵埃除去動作を行なう条件の一つである例を挙げて説明した。しかし、本発明はこれに限定されるものではない。
【００８２】
例えば、ステップＳ２、Ｓ６において、送風ファン１３の回転数を基準に判断する代わりに、室内機２の運転によって発生する音の大きさを基準に判断しても良い。
【００８３】
この場合にも、上記実施形態に係る空気調和機１と同様の効果を得ることができる。
【００８４】
（Ｅ）
上記実施形態では、制御部８０は、図７に示すように、通常運転中において所定の条件を満たす場合に、塵埃除去動作を実施する例を挙げて説明した。しかし、本発明はこれに限定されるものではない。
【００８５】
例えば、フィルタ清掃運転中にフィルタ２１を所定の位置Ｐ１から巻き取り位置Ｐ２へ移動させる際、あるいは、巻き取り位置Ｐ２から所定の位置Ｐ１に移動させる際に、回転ブラシ７１の回転駆動時間を延長して塵埃除去動作を行なうようにしても良い。
【００８６】
また、例えば、塵埃除去動作を行なう際に、回転ブラシ７１をフィルタ２１と接触しない位置まで退避させてから塵埃除去動作を行なうようにしても良い。
【００８７】
これらの場合にも、上記実施形態に係る空気調和機１と同様の効果を得ることができる。
【００８８】
なお、本発明では上記実施形態に示すように塵埃除去動作を行なう。これに対して、例えば、室内機２において発生する音が問題とならないのであれば、フィルタ清掃運転の運転時間を延長して回転ブラシ７１から塵埃を取り除くといったことも考えられる。
【００８９】
但し、この場合には、フィルタ清掃運転を行なう時間が延びるので、フィルタ清掃運転によって発生する音がより長い時間発生し、室内空間の快適性を損なうといったデメリットが考えられる。
【００９０】
（Ｆ）
上記実施形態では、空気調和機１は、主として、室内機２と室外機３とを備えている例を挙げて説明した。しかし、本発明はこれに限定されるものではない。
【００９１】
例えば、室内機２と室外機３とに含まれる機能を単体で備えた空気調和機であっても良い。なお、空気調和機には空気清浄機が含まれる。
【００９２】
この場合にも、上記実施形態に係る空気調和機１と同様の効果を得ることができる。
【００９３】
（Ｇ）
上記実施形態では、回転ブラシ７１が上記正方向へと回転する例を挙げて説明した。しかし、本発明はこれに限定されるものではない。
【００９４】
例えば、上記正方向と反対の方向へと回転ブラシ７１を回転させる方がフィルタ２１に付着した塵埃を効率よく除去することができる場合には、回転ブラシ７１を上記正方向と反対の方向へと回転させても良い。
【００９５】
この場合にも、上記実施形態に係る空気調和機１と同様の効果を得ることができる。
【００９６】
（Ｈ）
上記実施形態では、塵埃除去動作はフィルタ清掃運転が行なわれる毎に実施の可否が図７に示すフローチャートに従って判断される例を挙げて説明した。しかし、本発明はこれに限定されるものではない。
【００９７】
例えば、フィルタ清掃運転が行なわれる毎に塵埃除去動作を行なう代わりに、フィルタの汚れが少ない場合には、フィルタ清掃運転を所定の回数行なう毎に塵埃除去動作を実施させても良い。
【００９８】
この場合にも、上記実施形態に係る空気調和機１と同様の効果を得ることができる。
【００９９】
（Ｉ）
上記実施形態では、制御部８０は、図７に示すように、通常運転中において所定の条件を満たす場合に、塵埃除去動作を実施する例を挙げて説明した。しかし、本発明はこれに限定されるものではない。
【０１００】
例えば、ユーザが設定した時間帯（深夜時間帯等）には塵埃除去動作を行なわないとする条件を所定の条件としてさらに加えても良い。
【０１０１】
この場合にも、上記実施形態に係る空気調和機１と同様の効果を得ることができる。
【産業上の利用可能性】
【０１０２】
本発明の空気調和機は、塵埃除去動作によって発生する音によって快適性が損なわれ難くするという効果を奏することから、フィルタ清掃機能を有する空気調和機に対して広く適用可能である。
【図面の簡単な説明】
【０１０３】
【図１】本発明の一実施形態に係る空気調和機の外観を示す図。
【図２】図１示す室内機の構成を示す分解斜視図。
【図３】図１に示す室内機の側面視における内部構成を模式的に示す図。
【図４】図３に示す巻き取り機構の構成の一部を示す分解斜視図。
【図５】図３に示すダストボックスおよび回転ブラシの構成を示す斜視図。
【図６】図１に示す室内機の構成を示すブロック図。
【図７】図２に示す電装品ユニットに設けられた制御部において、塵埃除去動作の実施の可否を判断する流れを示すフローチャート。
【符号の説明】
【０１０４】
１      空気調和機
２      室内機
１３      送風ファン
２１      フィルタ
３０      巻き取り機構（移動機構）
７１      回転ブラシ
８０      制御部
Ｓ      ステップ
【図１】
2008145078.tif 000003
【図２】
2008145078.tif 000004
【図３】
2008145078.tif 000005
【図４】
2008145078.tif 000006
【図５】
2008145078.tif 000007
【図６】
2008145078.tif 000008
【図７】
2008145078.tif 000009
【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
空気の塵埃を捕集するフィルタ（２１）と、
前記フィルタの清掃を行なうブラシ（７１）と、
温度調整運転、調湿運転、換気運転及び送風運転のうち少なくとも１つである空気調和運転と、前記ブラシを使って前記フィルタを清掃するフィルタ清掃運転と、を行なわせる制御部（８０）と、
空気流れを生成するファン（１３）と、
を備え、
前記制御部は、前記空気調和運転において、前記ファン（１３）の回転数が所定の回転数以上であるときに前記ブラシ（７１）に付着した塵埃を除去する塵埃除去動作を実施する、
空気調和機（１）。
【請求項２】
前記制御部は、前記空気調和運転を止めて前記フィルタ清掃運転を行なう、
請求項１に記載の空気調和機（１）。
【請求項３】
前記フィルタ清掃運転の際に、前記フィルタを上下方向に移動させる移動機構（３０）をさらに備えている、
請求項１または２に記載の空気調和機（１）。
【請求項４】
前記制御部は、前記空気調和運転において、前記塵埃除去動作を行なった時間が所定の積算時間に到達していないという条件が満たされるときに、更に前記塵埃除去動作を実施する、
請求項１から３のいずれか１項に記載の空気調和機（１）。
【手続補正２】
【補正対象書類名】明細書
【補正対象項目名】全文
【補正方法】変更
【補正の内容】
【発明の詳細な説明】
【技術分野】
【０００１】
本発明は、フィルタ清掃機能を有する空気調和機に関する。
【背景技術】
【０００２】
一般に、空気調和機には、外部から吸い込む空気に含まれる塵埃を除去するフィルタが備えられている。
【０００３】
また、フィルタに塵埃が付着して堆積すると通風抵抗の増大を招くので、フィルタの清掃作業を時々行なう必要がある。
【０００４】
そのため、このような空気調和機の中には、特許文献１に示すように、清掃ブラシを有するものもある。
【特許文献１】特開２００６−１９４５６２号公報（平成１８年７月２７日公開）
【発明の開示】
【発明が解決しようとする課題】
【０００５】
現在、このような空気調和機において、清掃ブラシに付着した塵埃を自動的に取り除く機能を付与した空気調和機の開発が検討されている。しかし、清掃ブラシに付着した塵埃を取り除く際に発生する音がユーザにとって耳障りとなり、快適性を損なうという問題がある。
【０００６】
本発明の課題は、塵埃除去動作によって発生する音によって室内の快適性が損なわれ難くすることが可能な空気調和機を提供することにある。
【課題を解決するための手段】
【０００７】
第１の発明に係る空気調和機は、フィルタと、ブラシと、制御部と、ファンとを備えている。フィルタは、空気の塵埃を捕集する。ブラシは、フィルタの清掃を行なう。制御部は、温度調整運転、調湿運転、換気運転及び送風運転のうち少なくとも１つである空気調和運転と、ブラシを使ってフィルタを清掃するフィルタ清掃運転と、を行なわせる。ファンは、空気流れを生成する。そして、制御部は、空気調和運転において、ファンの回転数が所定の回転数以上であるときに、ブラシに付着した塵埃を除去する塵埃除去動作を実施する。
【０００８】
ここでは、空気調和運転において、ファンが所定の回転数以上で回転しているときに、ブラシに付着した塵埃を除去する塵埃除去動作が行なわれる。
【０００９】
これにより、塵埃除去動作によって発生する音を、空気調和運転によって発生する音、特にファンの回転により発生する音に、紛れ込ませることができる。
【００１０】
この結果、塵埃除去動作によって室内の快適性が損なわれ難くなる。
【００１１】
なお、空気調和運転時において、ファンが所定回転数以上で回転しているとき以外では、塵埃除去動作が行なわれない。
【００１２】
第２の発明に係る空気調和機は、第１の発明に係る空気調和機であって、制御部は、空気調和運転を止めてフィルタ清掃運転を行なう。
【００１３】
このため、空気調和運転とフィルタ清掃運転とを別々に行なう場合にも、塵埃除去動作によって発生する音を空気調和運転によって発生する音に紛れ込ませることができる。
【００１４】
第３の発明に係る空気調和機は、第１または第２の発明に係る空気調和機であって、移動機構をさらに備えている。移動機構は、フィルタ清掃運転の際に、フィルタを上下方向に移動させる。
【００１５】
このため、フィルタを上下方向に移動させつつフィルタの清掃をブラシによって行ないフィルタに付着した塵埃を除去することができる。
【００１６】
第４の発明に係る空気調和機は、第１から第３の発明のいずれか１つに係る空気調和機であって、制御部は、空気調和運転において、塵埃除去動作を行なった時間が所定の積算時間に到達していないという条件が満たされるときに、更に塵埃除去動作を実施する。
【００１７】
このため、塵埃除去動作を行なった時間が所定の積算時間に到達するまで、空気調和運転時に塵埃除去動作を行なうことができる。なお、上記所定の積算時間は、例えば、フィルタ清掃運転を行なう毎にリセットされる。
【発明の効果】
【００１８】
第１の発明に係る空気調和機によれば、塵埃除去動作によって室内の快適性が損なわれ難くなる。
【００１９】
第２の発明に係る空気調和機によれば、空気調和運転とフィルタ清掃運転とを別々に行なう場合にも、塵埃除去動作によって発生する音を空気調和運転によって発生する音に紛れ込ませることができる。
【００２０】
第３の発明に係る空気調和機によれば、フィルタを上下方向に移動させつつフィルタの清掃をブラシによって行ないフィルタに付着した塵埃を除去することができる。
【００２１】
第４の発明に係る空気調和機によれば、塵埃除去動作を行なった時間が所定の積算時間に到達するまで、空気調和運転時に塵埃除去動作を行なうことができる。
【発明を実施するための最良の形態】
【００２２】
本発明の一実施形態に係る空気調和機１について、図１〜図７を用いて説明すれば以下の通りである。
【００２３】
＜空気調和機の概略構成＞
空気調和機１は、室内に設置される室内機２と、室外に設置される室外機３とに分かれて構成されており、室内の冷房、暖房等を行うことができる。
【００２４】
また、室外機３は、室外空調ユニット５と、室外空調ユニット５上に載置される調湿ユニット４とを有している。後述するように、調湿ユニット４は、室外の空気を室内へ供給したり、室内の空気を室外へ排出したりすることができ、室外機３と室内機２との間には、調湿ユニット４からの室外空気や調湿空気等を室内機２側に供給するときや室内の空気を室外に排出するときに用いられる給排気ホース６が設けられている。
【００２５】
＜室内機２＞
室内機２は、室内の壁面に取り付けられる壁掛け型の室内機であり、図２に示すように、本体ユニット１０と、フィルタユニット２０と、前面グリル５０と、前面パネル６０と、ダストボックス７０と、を有している。そして、室内機２は、空気を吸い込んで空気調和した後に室内へと空気を吹き出す。
【００２６】
〈本体ユニット１０〉
本体ユニット１０は、図３に示すように、底フレーム１１、室内熱交換器１２、送風装置１６（図６参照）、電装品ユニット１４（図２参照）等を有する。
【００２７】
底フレーム１１には、室内熱交換器１２、送風装置１６、電装品ユニット１４等が取り付けられている。また、底フレーム１１の前面下部には、吹出し口１５が設けられており、吹出し口１５から吹き出される空気を案内する水平フラップが設けられている。水平フラップは、フラップモータによって回転駆動され、空気の案内方向を変更したり、吹出し口１５を開閉したりすることができる。
【００２８】
室内熱交換器１２は、複数のフィンと、冷媒が流れる伝熱管とによって構成されており、通過する空気との間で熱交換を行う。
【００２９】
送風装置１６は、例えば、室内から取り込まれ室内熱交換器１２によって温度調整された後に室内へと吹き出す空気流れを生成する。送風装置１６は、送風ファン１３と、室内ファンモータとを有する。送風ファン１３は、クロスフローファンであり、室内ファンモータによって回転駆動される。
【００３０】
なお、送風装置１６、室内熱交換器１２は、室内の空気を取り込み温度調整したうえで室内へ吹き出させる温度調整部２２（図６参照）を構成している。
【００３１】
〈フィルタユニット２０〉
フィルタユニット２０は、図３に示すように、フィルタ２１を備えており、底フレーム１１に取り付けられている。また、フィルタ２１の両側端には、図３および図４に示すように、略水平方向に延びる溝２１ａが上下方向に沿って等間隔に形成されている。また、溝２１ａは、後段にて詳述するプーリ３１の外周に沿って歯車状に形成された突起部３１ａと対応するように形成されている。
【００３２】
フィルタ２１は、室内熱交換器１２の前方および上方（すなわち、空気流れの上流側）に左右方向に2つ並べて配置されている。そして、フィルタ２１は、室内または室外から取り込まれた空気から塵埃を除去する。これにより、フィルタ２１は、空気中に浮遊する塵埃によって室内熱交換器１２が汚染されることを防止する。
【００３３】
また、フィルタユニット２０は、フィルタ２１に付着した塵埃を除去する清掃を行うため、フィルタ２１を下方に移動させる巻き取り機構（移動機構）３０と巻き取りモータ２６（図６参照）とを備えている。なお、フィルタ２１は、巻き取り機構３０によって巻き取られていない状態においては、室内熱交換器１２の空気流れの上流側のほぼ全域を覆うように所定の位置Ｐ１に配置されている（図２参照）。
【００３４】
巻き取り機構３０は、図３および図４に示すように、上部吸込み口７５（後段にて詳述）および前部吸い込み口７６（後段にて詳述）の空気流れの直下流側に配置されており、プーリ３１と、ガイド部材４２と、を有している。そして、巻き取り機構３０は、フィルタ２１の清掃を行なう際に、フィルタ２１を上下方向に移動させる。
【００３５】
ガイド部材４２は、図２に示すようにフィルタユニット２０の左右両端部と中央部にそれぞれ配設されており、図４に示すように側面視において弧状に形成された樹脂製部材である。そして、ガイド部材４２には、フィルタ２１が上下方向に移動する際に、フィルタ２１を案内するための溝４２ａ（図３参照）が形成されている。ここで、溝４２ａの形状について、図３を用いてより具体的に説明すると、以下の通りである。
【００３６】
溝４２ａは、図３に示すように、側面視においてガイド部材４２の周縁に沿って形成されており、フィルタ２１を所定の位置Ｐ１から空気流れの下流側に位置する巻き取り位置Ｐ２へと移動させる。また、反対に、巻き取り位置Ｐ２から所定の位置Ｐ１へと移動させる。
【００３７】
プーリ３１は、各ガイド部材４２の下端部分の間にそれぞれ配設されており、ガイド部材４２によって左右両端を回転可能に支持されている。そして、プーリ３１は左右両端の外周部分に歯車状の突起部３１ａが形成されている。また、プーリ３１は、巻き取りモータ２６によって回転駆動されることによって、突起部３１ａが溝２１ａと噛み合って、フィルタ２１を上下方向に移動させる。そして、図３に示すように、フィルタ２１を下方へと移動させてプーリ３１の周囲を回転させて、ガイド部材４２における背面側（すなわち、ガイド部材４２における空気流れの下流側）の巻き取り位置Ｐ２へと移動させることができる。また、反対に、巻き取られたフィルタ２１を巻き取り位置Ｐ２からガイド部材４２における空気流れの上流側（すなわち、上記所定の位置Ｐ１）に移動させることもできる。
【００３８】
〈前面グリル５０および前面パネル６０〉
前面グリル５０は、図２に示すように、フィルタユニット２０を覆うようにフィルタユニット２０に取り付けられており、前面グリル５０の天面には上部吸込み口７５が設けられている。また、前面グリル５０には、その前面を覆う前面パネル６０が取り付けられており、前面パネル６０が移動することによって、前面グリル５０の前面に形成された前部吸い込み口７６を開閉することができる。
【００３９】
また、前面グリル５０には、室内機２の運転状況を表示する表示部７７（図１参照）を露出させる開口部が設けられている。
【００４０】
〈ダストボックス７０〉
ダストボックス７０は、図３に示すように、前面パネル６０の下部において、吹出し口１５よりも正面側に取り付けられており、フィルタ２１の清掃を行う機能を有するものである。このダストボックス７０は、前面パネル６０が閉じた状態で、前面パネル６０とは干渉することなく、外部から着脱可能である。また、ダストボックス７０には、図５に示すように、回転ブラシ７１と、それに対応する掃き落とし部材７２とが、長手方向に沿って２つずつ配設されている。
【００４１】
ここで、回転ブラシ７１はフィルタユニット２０の下側へと移動してくるフィルタ２１に押圧接触する。また、フィルタ２１の清掃時において、回転ブラシ７１はブラシ用モータ７８（図６参照）によって回転駆動される。また、回転ブラシ７１、ブラシ用モータ７８、巻き取り機構３０、および巻き取りモータ２６は、フィルタ２１を所定の位置Ｐ１から巻き取り位置Ｐ２へと移動させる際に、フィルタ２１に付着した塵埃を清掃するフィルタ清掃部７９（図６参照）を構成している。そして、フィルタ清掃部７９は、上記に示すように、回転ブラシ７１をフィルタ２１に押圧接触させるフィルタ清掃運転を実施する。
【００４２】
なお、回転ブラシ７１は正方向へと回転する。この正方向とは、側面視において室内機２の背面側から上方を経て正面側へと回転する方向、すなわち、図３において反時計回りとなる回転方向である。
【００４３】
掃き落とし部材７２は、図５に示すように、櫛歯状に形成されており、回転ブラシ７１が回転する際に毛先部分に接触して、回転ブラシ７１に付着している塵埃を下方のダストボックス７０内へと掃き落とす。
【００４４】
＜制御部８０＞
図６に示す制御部８０は、室内機２の電装品ユニット１４（図２参照）に設けられており、リモコン８１からの指示や、各種のセンサ（図示せず）からの情報に基づいて、温度調整運転、加湿運転、給気換気運転、排気運転等の通常運転（空気調和運転）と、フィルタ清掃運転と、を行なう。また、制御部８０は、通常運転時に、後段にて詳述する塵埃除去動作を行うことができる。なお、本実施形態の空気調和機１では、通常運転にはフィルタ清掃運転は含まれず、通常運転を止めてフィルタ清掃運転は行なわれる。
【００４５】
＜塵埃除去動作の実施判定フローの説明＞
ここで、本実施形態の塵埃除去動作について、図７に示すフローチャートを用いてより具体的に説明する。塵埃除去動作とは、フィルタ清掃運転とは別に、回転ブラシ７１をブラシ用モータ７８によって回転駆動して、フィルタ清掃運転によって回転ブラシ７１に付着した塵埃をダストボックス７０へと掃き落とす動作である。（なお、塵埃除去動作は、フィルタ清掃運転が行なわれる毎に実施の可否が図７に示すフローチャートに従って判断される。）また、塵埃除去動作において回転ブラシ７１は正方向へと回転する。
【００４６】
ステップＳ１では、制御部８０は、通常運転中であるか否かを判断する。通常運転中以外では、塵埃除去動作は行なわれない。
【００４７】
ステップＳ２では、制御部８０は、送風ファン１３の回転数が所定の回転数以上であるか否かを判断する。送風ファン１３の回転数が所定の回転数以上である場合にだけ、塵埃除去動作が行なわれるので、送風ファン１３の回転数が低い場合には、塵埃除去動作は行なわれない。
【００４８】
ステップＳ３では、制御部８０は、塵埃除去動作を開始する。
【００４９】
ステップＳ４では、制御部８０は、塵埃除去動作を実施した時間が所定の積算時間に到達しているか否かを判断する。
【００５０】
ここで、制御部８０は、所定の積算時間に到達している場合には、ステップＳ８へと進み塵埃除去動作を終了し、さらにステップＳ９において積算時間を０に戻して塵埃除去動作を終了する。また、制御部８０は、所定の積算時間に到達していない場合には、ステップＳ５へと進む。
【００５１】
ステップＳ５では、制御部８０は、通常運転中であるか否かを再度判断する。
【００５２】
ステップＳ６では、制御部８０は、ステップＳ２と同様に、送風ファン１３の回転数が所定の回転数以上であるか否かを判断する。
【００５３】
制御部８０は、ステップＳ５、Ｓ６において条件を満たさないと判断した場合にはステップＳ７において塵埃除去動作を終了し、再度ステップＳ１へと戻る。
【００５４】
このように、空気調和機１では、ステップＳ１、Ｓ２、Ｓ４〜Ｓ６に示す各所定の条件を満たす場合にだけ塵埃除去動作を行なうことで、塵埃除去動作によって発生する音によって室内空間の快適性が損なわれないようにしている。このため、例えば、ステップＳ7において塵埃除去動作を実施中に通常運転が終了しても、次回、ステップＳ１、Ｓ２、Ｓ４〜Ｓ６に示す各所定の条件を満たす場合に再度塵埃除去動作が実施されることになる。
【００５５】
また、上記塵埃除去動作には、フィルタ清掃運転時に掃き落とし部材７２によって取りきれなかった塵埃を取り除くことで、フィルタ清掃運転を行なう時間を短縮化するといった効果もある。
【００５６】
＜空気調和機１の特徴＞
（１）
本実施形態の空気調和機１では、図３に示すように、フィルタ２１と、回転ブラシ７１と、制御部８０（図６参照）と、ファン１３とを備えている。フィルタ２１は、空気の塵埃を捕集する。回転ブラシ７１は、フィルタ２１の清掃を行なう。制御部８０は、通常運転と、フィルタ２１の清掃を行なうフィルタ清掃運転と、を行なう。ファン１３は、空気流れを生成する。そして、制御部８０は、通常運転において、ファン１３が所定の回転数以上で回転しているときに、回転ブラシ７１に付着した塵埃除去動作を行なう。
【００５７】
このように、通常運転時において、送風ファン１３が所定の回転数以上で回転しているときに、塵埃を除去する塵埃除去動作を行なっているので、塵埃除去動作によって発生する音を、通常運転によって発生する音、特に送風ファン１３の回転によって発生する音に紛れ込ませることができている。
【００５８】
この結果、塵埃除去動作を実施することによって室内空間の快適性が損なわれることが抑制されている。
【００５９】
（２）
本実施形態の空気調和機１では、図４に示すように、巻き取り機構３０を備えている。巻き取り機構３０は、フィルタ清掃運転の際に、フィルタを上下方向に移動させる。
【００６０】
このため、フィルタ２１を上下方向に移動させつつフィルタ２１の清掃を回転ブラシ７１によって行ない、フィルタ２１に付着した塵埃を効率的に除去することができる。
【００６１】
（３）
本実施形態の空気調和機１では、制御部８０は、塵埃除去動作を行なった時間が所定の積算時間に到達するまで塵埃除去動作を実施する。
【００６２】
これにより、無駄に塵埃除去動作を行なうことがなくなっている。
【００６３】
なお、ステップＳ7において塵埃除去動作を実施中に通常運転が終了しても、次回、ステップＳ１、Ｓ２、Ｓ４〜Ｓ６に示す各所定の条件を満たす場合には、再度塵埃除去動作が実施されることになる。
【００６４】
＜他の実施形態＞
以上、本発明の一実施形態について説明したが、本発明は上記実施形態に限定されるものではなく、発明の要旨を逸脱しない範囲で種々の変更が可能である。
【００６５】
（Ａ）
上記実施形態では、図７に示すように、制御部８０は、ステップＳ１、Ｓ２、Ｓ４〜Ｓ６に示す各所定の条件を満たす場合にだけ塵埃除去動作を行なう例を挙げて説明した。しかし、本発明はこれに限定されるものではない。
【００６６】
例えば、室内機２内部を洗浄する運転を行なう場合と、空調を行なう室内空間にカビが発生することを防止する運転を行なう場合とを、塵埃除去動作が行なわれない条件としてさらに加えても良い。ここで、室内機２内部を洗浄する運転とは、室内機２内の湿度を下げて乾燥させることで室内機２内のカビの発生を抑える運転である。また、空調を行なう室内空間にカビが発生することを防止する運転とは、室内空間に対して所定時間の間継続して除湿運転を行なって室内空間の湿度を低下させる運転である。
【００６７】
また、例えば、２４時間換気運転を行なう場合を塵埃除去動作が行なわれない条件としてさらに加えても良い。
【００６８】
さらに、例えば、塵埃除去動作を行なわない条件として、フィルタ２１が上記所定の位置Ｐ１にセットされていない場合を加えても良い。
【００６９】
これらの場合にも、上記実施形態に係る空気調和機１と同様の効果を得ることができる。
【００７０】
（Ｂ）
上記実施形態では、制御部８０は、通常運転と、フィルタ清掃運転と、を別々に行なう例を挙げて説明した。しかし、本発明はこれに限定されるものではない。
【００７１】
例えば、室内熱交換器１２等に塵埃が付着するおそれが少ない場合には、通常運転時にフィルタ清掃運転を行なっても良い。
【００７２】
この場合にも、上記実施形態に係る空気調和機１と同様の効果を得ることができる。
【００７３】
（Ｃ）
上記実施形態では、巻き取り機構３０によって、フィルタ２１を上下方向に移動させる例を挙げて説明した。しかし、本発明はこれに限定されるものではない。
【００７４】
例えば、フィルタ２１を上下方向に移動させる代わりに、回転ブラシ７１を上下方向に移動させる機構を設けても良い。
【００７５】
この場合にも、上記実施形態に係る空気調和機１と同様の効果を得ることができる。
【００７６】
（Ｄ）
上記実施形態では、図７に示すように、ステップＳ２において、制御部８０は、送風ファン１３の回転数が所定の回転数以上であることが塵埃除去動作を行なう条件の一つである例を挙げて説明した。しかし、本発明はこれに限定されるものではない。
【００７７】
例えば、ステップＳ２、Ｓ６において、送風ファン１３の回転数を基準に判断する代わりに、室内機２の運転によって発生する音の大きさを基準に判断しても良い。
【００７８】
この場合にも、上記実施形態に係る空気調和機１と同様の効果を得ることができる。
【００７９】
（Ｅ）
上記実施形態では、制御部８０は、図７に示すように、通常運転中において所定の条件を満たす場合に、塵埃除去動作を実施する例を挙げて説明した。しかし、本発明はこれに限定されるものではない。
【００８０】
例えば、フィルタ清掃運転中にフィルタ２１を所定の位置Ｐ１から巻き取り位置Ｐ２へ移動させる際、あるいは、巻き取り位置Ｐ２から所定の位置Ｐ１に移動させる際に、回転ブラシ７１の回転駆動時間を延長して塵埃除去動作を行なうようにしても良い。
【００８１】
また、例えば、塵埃除去動作を行なう際に、回転ブラシ７１をフィルタ２１と接触しない位置まで退避させてから塵埃除去動作を行なうようにしても良い。
【００８２】
これらの場合にも、上記実施形態に係る空気調和機１と同様の効果を得ることができる。
【００８３】
なお、本発明では上記実施形態に示すように塵埃除去動作を行なう。これに対して、例えば、室内機２において発生する音が問題とならないのであれば、フィルタ清掃運転の運転時間を延長して回転ブラシ７１から塵埃を取り除くといったことも考えられる。
【００８４】
但し、この場合には、フィルタ清掃運転を行なう時間が延びるので、フィルタ清掃運転によって発生する音がより長い時間発生し、室内空間の快適性を損なうといったデメリットが考えられる。
【００８５】
（Ｆ）
上記実施形態では、空気調和機１は、主として、室内機２と室外機３とを備えている例を挙げて説明した。しかし、本発明はこれに限定されるものではない。
【００８６】
例えば、室内機２と室外機３とに含まれる機能を単体で備えた空気調和機であっても良い。なお、空気調和機には空気清浄機が含まれる。
【００８７】
この場合にも、上記実施形態に係る空気調和機１と同様の効果を得ることができる。
【００８８】
（Ｇ）
上記実施形態では、回転ブラシ７１が上記正方向へと回転する例を挙げて説明した。しかし、本発明はこれに限定されるものではない。
【００８９】
例えば、上記正方向と反対の方向へと回転ブラシ７１を回転させる方がフィルタ２１に付着した塵埃を効率よく除去することができる場合には、回転ブラシ７１を上記正方向と反対の方向へと回転させても良い。
【００９０】
この場合にも、上記実施形態に係る空気調和機１と同様の効果を得ることができる。
【００９１】
（Ｈ）
上記実施形態では、塵埃除去動作はフィルタ清掃運転が行なわれる毎に実施の可否が図７に示すフローチャートに従って判断される例を挙げて説明した。しかし、本発明はこれに限定されるものではない。
【００９２】
例えば、フィルタ清掃運転が行なわれる毎に塵埃除去動作を行なう代わりに、フィルタの汚れが少ない場合には、フィルタ清掃運転を所定の回数行なう毎に塵埃除去動作を実施させても良い。
【００９３】
この場合にも、上記実施形態に係る空気調和機１と同様の効果を得ることができる。
【００９４】
（Ｉ）
上記実施形態では、制御部８０は、図７に示すように、通常運転中において所定の条件を満たす場合に、塵埃除去動作を実施する例を挙げて説明した。しかし、本発明はこれに限定されるものではない。
【００９５】
例えば、ユーザが設定した時間帯（深夜時間帯等）には塵埃除去動作を行なわないとする条件を所定の条件としてさらに加えても良い。
【００９６】
この場合にも、上記実施形態に係る空気調和機１と同様の効果を得ることができる。
【産業上の利用可能性】
【００９７】
本発明の空気調和機は、塵埃除去動作によって発生する音によって快適性が損なわれ難くするという効果を奏することから、フィルタ清掃機能を有する空気調和機に対して広く適用可能である。
【図面の簡単な説明】
【００９８】
【図１】本発明の一実施形態に係る空気調和機の外観を示す図。
【図２】図１示す室内機の構成を示す分解斜視図。
【図３】図１に示す室内機の側面視における内部構成を模式的に示す図。
【図４】図３に示す巻き取り機構の構成の一部を示す分解斜視図。
【図５】図３に示すダストボックスおよび回転ブラシの構成を示す斜視図。
【図６】図１に示す室内機の構成を示すブロック図。
【図７】図２に示す電装品ユニットに設けられた制御部において、塵埃除去動作の実施の可否を判断する流れを示すフローチャート。
【符号の説明】
【００９９】
１      空気調和機
２      室内機
１３      送風ファン
２１      フィルタ
３０      巻き取り機構（移動機構）
７１      回転ブラシ
８０      制御部
Ｓ      ステップ